【手続補正書】
【提出日】平成17年4月13日(2005.4.13)
【手続補正１】
【補正対象書類名】明細書
【補正対象項目名】特許請求の範囲
【補正方法】変更
【補正の内容】
【特許請求の範囲】
【請求項１】
被写体を照明する閃光発光部と、
前記閃光発光部を本露光直前に予備発光させる予備発光制御部と、
前記予備発光時の前記被写体からの反射光を、撮影光学系を介して受光する受光部と、
前記受光部における受光量が所定量になるまで予備発光を行ったときの前記予備発光制御部における予備発光量に基づいて、本露光時の閃光発光量をあらかじめ算出する本発光演算部と、
前記本発光演算部の出力に基づいて、前記閃光発光部の本露光時の閃光発光量を制御する本発光制御部と
を備えた閃光制御装置。
【請求項２】
請求項１に記載の閃光制御装置において、
前記本発光演算部は、前記予備発光量と前記受光部の受光量とに基づいて前記本露光時の閃光発光量を求めること
を特徴とする閃光制御装置。
【請求項３】
請求項１に記載の閃光制御装置において、
撮像部の直前に設けられ、前記被写体からの反射光を前記予備発光制御部に導く導光部を更に備えること
を特徴とする閃光制御装置。
【請求項４】
請求項１に記載の閃光制御装置において、
前記本発光制御部は、交換可能な閃光発光器内に設けられており、
前記本発光演算部は、本発光時の閃光発光量を通信によって、前記本発光制御部に伝達させること
を特徴とする閃光制御装置。
【請求項５】
請求項１に記載の閃光制御装置において、
前記本発光演算部は、閃光発光量をガイドナンバーによって算出すること
を特徴とする閃光制御装置。
【請求項６】
請求項４又は請求項５に記載の閃光制御装置において、
前記本発光演算部は、前記ガイドナンバーを通信によって前記本発光制御部へ伝達すること
を特徴とする閃光制御装置。
【請求項７】
請求項５に記載の閃光制御装置において、
前記ガイドナンバーを表示する表示部を備えること
を特徴とする閃光制御装置。
【請求項８】
請求項７に記載の閃光制御装置において、
前記表示部は、前記本発光演算部で求めた閃光発光量の補正値を表示することを特徴とする閃光制御装置。
【請求項９】
請求項１に記載の閃光制御装置において、
前記本発光制御部は、発光時間を制御することにより、閃光発光量を制御すること
を特徴とする閃光制御装置。
【請求項１０】
請求項１に記載の閃光制御装置において、
前記本発光制御部は、閃光発光器内に設けられたモニター素子の出力に基づいて、閃光発光量を制御すること
を特徴とする閃光制御装置。
【請求項１１】
請求項１に記載の閃光制御装置において、
前記予備発光制御部は、前記受光部における受光量が所定量に達しない場合には、あらかじめ既知のガイドナンバーの予備発光を前記受光部における受光量が所定量になるまで繰り返し発光することによって、発光量を制御すること
を特徴とする閃光制御装置。
【請求項１２】
請求項１に記載の閃光制御装置において、
前記予備発光制御部は、予備発光時の絞り値に応じて、前記受光部の増幅率を決定すること
を特徴とする閃光制御装置。
【請求項１３】
請求項１に記載の閃光制御装置において、
前記予備発光制御部は、被写界からの反射光を複数領域に分割して受光する分割型の受光素子を更に備え、
前記本発光演算部は、前記予備発光制御部の出力に基づいて、本発光量の算出に用いる領域を選択すること
を特徴とする閃光制御装置。
【請求項１４】
請求項１２に記載の閃光制御装置において、
前記本発光演算部は、被写体の反射率が標準反射率に最も近い領域を選択すること
を特徴とする閃光制御装置。
【請求項１５】
請求項１２に記載の閃光制御装置において、
被写界の特定領域の焦点検出を行う焦点検出部を更に備え、
前記本発光演算部は、前記焦点検出部による焦点検出が行われている場合には、前記検出領域と重複する受光領域を選択すること
を特徴とする閃光制御装置。
【請求項１６】
請求項１２に記載の閃光制御装置において、
前記本発光演算部は、前記被写体の反射率が標準反射率から所定値以上離れている領域を演算対象から除外すること
を特徴とする閃光制御装置。
【手続補正２】
【補正対象書類名】明細書
【補正対象項目名】０００７
【補正方法】変更
【補正の内容】
【０００７】
【課題を解決するための手段】
請求項１の発明は、被写体を照明する閃光発光部（４２）と、前記閃光発光部を本露光直前に予備発光させる予備発光制御部（２６）と、前記予備発光時の前記被写体からの反射光を、撮影光学系を介して受光する受光部（１５）と、前記受光部における受光量が所定量になるまで予備発光を行ったときの前記予備発光制御部における予備発光量に基づいて、本露光時の閃光発光量をあらかじめ算出する本発光演算部（３１）と、前記本発光演算部の出力に基づいて、前記閃光発光部の本露光時の閃光発光量を制御する本発光制御部（３２）とを備えた閃光制御装置である。
【手続補正３】
【補正対象書類名】明細書
【補正対象項目名】０００８
【補正方法】変更
【補正の内容】
【０００８】
請求項２の発明は、請求項１に記載の閃光制御装置において、前記本発光演算部は、前記予備発光量（ＧＮp1，Ｑpre）と前記受光部の受光量（ＩＧＲ（ｎ））とに基づいて前記本露光時の閃光発光量（ＧＮｍ）を求めることを特徴とする閃光制御装置である。
請求項３の発明は、請求項１に記載の閃光制御装置において、撮像部の直前に設けられ、前記被写体からの反射光を前記予備発光制御部に導く導光部を更に備えることを特徴とする閃光制御装置である。
【手続補正４】
【補正対象書類名】明細書
【補正対象項目名】０００９
【補正方法】変更
【補正の内容】
【０００９】
請求項４の発明は、請求項１に記載の閃光制御装置において、前記本発光制御部は、交換可能な閃光発光器内に設けられており、前記本発光演算部は、本発光時の閃光発光量を通信によって、前記本発光制御部に伝達させることを特徴とする閃光制御装置である。
【手続補正５】
【補正対象書類名】明細書
【補正対象項目名】００１０
【補正方法】変更
【補正の内容】
【００１０】
請求項５の発明は、請求項１に記載の閃光制御装置において、前記本発光演算部は、閃光発光量をガイドナンバーによって算出することを特徴とする閃光制御装置である。
【手続補正６】
【補正対象書類名】明細書
【補正対象項目名】００１１
【補正方法】変更
【補正の内容】
【００１１】
請求項６の発明は、請求項４又は請求項５に記載の閃光制御装置において、前記本発光演算部は、前記ガイドナンバーを通信によって前記本発光制御部へ伝達することを特徴とする閃光制御装置である。
【手続補正７】
【補正対象書類名】明細書
【補正対象項目名】００１２
【補正方法】変更
【補正の内容】
【００１２】
請求項７の発明は、請求項５に記載の閃光制御装置において、前記ガイドナンバーを表示する表示部を備えることを特徴とする閃光制御装置である。
【手続補正８】
【補正対象書類名】明細書
【補正対象項目名】００１３
【補正方法】変更
【補正の内容】
【００１３】
請求項８の発明は、請求項７に記載の閃光制御装置において、前記表示部は、前記本発光演算部で求めた閃光発光量の補正値を表示することを特徴とする閃光制御装置である。
【手続補正９】
【補正対象書類名】明細書
【補正対象項目名】００１４
【補正方法】変更
【補正の内容】
【００１４】
請求項９の発明は、請求項１に記載の閃光制御装置において、前記本発光制御部は、発光時間を制御することにより、閃光発光量を制御することを特徴とする閃光制御装置である。
【手続補正１０】
【補正対象書類名】明細書
【補正対象項目名】００１５
【補正方法】変更
【補正の内容】
【００１５】
請求項１０の発明は、請求項１に記載の閃光制御装置において、前記本発光制御部は、閃光発光器内に設けられたモニター素子の出力に基づいて、閃光発光量を制御することを特徴とする閃光制御装置である。
【手続補正１１】
【補正対象書類名】明細書
【補正対象項目名】００１６
【補正方法】変更
【補正の内容】
【００１６】
請求項１１の発明は、請求項１に記載の閃光制御装置において、前記予備発光制御部は、前記受光部における受光量が所定量に達しない場合には、あらかじめ既知のガイドナンバーの予備発光を前記受光部における受光量が所定量になるまで繰り返し発光することによって、発光量を制御することを特徴とする閃光制御装置である。
【手続補正１２】
【補正対象書類名】明細書
【補正対象項目名】００１７
【補正方法】変更
【補正の内容】
【００１７】
請求項１２の発明は、請求項１に記載の閃光制御装置において、前記予備発光制御部は、予備発光時の絞り値に応じて、前記受光部の増幅率を決定することを特徴とする閃光制御装置である。
【手続補正１３】
【補正対象書類名】明細書
【補正対象項目名】００１８
【補正方法】変更
【補正の内容】
【００１８】
請求項１３の発明は、請求項１に記載の閃光制御装置において、前記予備発光制御部は、被写界からの反射光を複数領域に分割して受光する分割型の受光素子を更に備え、前記本発光演算部は、前記予備発光制御部の出力に基づいて、本発光量の算出に用いる領域を選択することを特徴とする閃光制御装置である。
【手続補正１４】
【補正対象書類名】明細書
【補正対象項目名】００１９
【補正方法】変更
【補正の内容】
【００１９】
請求項１４の発明は、請求項１２に記載の閃光制御装置において、前記本発光演算部は、被写体の反射率が標準反射率に最も近い領域を選択することを特徴とする閃光制御装置である。
【手続補正１５】
【補正対象書類名】明細書
【補正対象項目名】００２０
【補正方法】変更
【補正の内容】
【００２０】
請求項１５の発明は、請求項１２に記載の閃光制御装置において、被写界の特定領域の焦点検出を行う焦点検出部を更に備え、前記本発光演算部は、前記焦点検出部による焦点検出が行われている場合には、前記検出領域と重複する受光領域を選択することを特徴とする閃光制御装置である。
【手続補正１６】
【補正対象書類名】明細書
【補正対象項目名】００２１
【補正方法】変更
【補正の内容】
【００２１】
請求項１６の発明は、請求項１２に記載の閃光制御装置において、前記本発光演算部は、前記被写体の反射率が標準反射率から所定値以上離れている領域を演算対象から除外することを特徴とする閃光制御装置である。
【手続補正１７】
【補正対象書類名】明細書
【補正対象項目名】００５８
【補正方法】変更
【補正の内容】
【００５８】
ステップＳ２１４では、読み出した予備発光時の積分値ＩＧ(n) と定常光のみによる積分値Ｉpst(n)とから、定常光成分の影響を除去した積分値ＩＧＲ(n) を、以下に示す数式５によって算出する。
【手続補正１８】
【補正対象書類名】明細書
【補正対象項目名】００６０
【補正方法】変更
【補正の内容】
【００６０】
ステップＳ２１５では、求めたＩＧＲ(n) が０より大きいか否かを判定し、小さかった場合には、ステップＳ２１６により、その領域のガイドナンバーＧＮrtn(n)に十分大きな値を代入する。ここでは、その値を９９９とする。ＩＧＲ(n) が０より大きかった場合には、ステップＳ２１７において、数式６により、各領域のＧＮrtn(n)を算出する。
【手続補正１９】
【補正対象書類名】明細書
【補正対象項目名】００６１
【補正方法】変更
【補正の内容】
【００６１】
ＧＮrtn(n)＝ＧＮp1・｛Ｑpre ・ＩＧstop／ＩＧＲ(n) ・２＾（ＡＶ−２）／５｝＾（１／２）    …（６）
【手続補正２０】
【補正対象書類名】明細書
【補正対象項目名】００７９
【補正方法】変更
【補正の内容】
【００７９】
図１５は、図１３のステップＳ５１１のＥ１処理、つまり予備発光の結果１〜４個有効領域が存在している場合の処理を詳しく示したフローチャートである。
まず、ステップＳ７０１において、カウンタｍ，ｎをそれぞれ０にセットし、ＧＮ＝０を代入する。次に、ステップＳ７０２において、カウンタｎに１を加える。
ステップＳ７０３において、ＦＬＧｈｌ（ｎ）＝０であるか否か、つまり、その領域が有効であるか否かを判定し、有効であれば、ステップＳ７０４において、数式１０の処理を行う。
【手続補正２１】
【補正対象書類名】明細書
【補正対象項目名】０１０６
【補正方法】変更
【補正の内容】
【０１０６】
（８）  本発光制御部３２は、発光時間を制御することにより、閃光発光量を制御するので、発光量の制御が容易に行える。
（９）  本発光制御部３２は、閃光発光器４２内に設けられたモニター素子３６の出力に基づいて、閃光発光量を制御するので、正確に発光量を制御可能となる。
【手続補正２２】
【補正対象書類名】明細書
【補正対象項目名】図１５
【補正方法】変更
【補正の内容】
【図１５】
本実施形態に係る閃光制御装置のアルゴリズム（図１３のＥ１処理）を示すフローチャートである。